(57)【要約】繊細材料により形成される衣料のコンパクトパッケージは、１０立方インチ（約１６４cm3)未満の総体積の開放端を有する容器本体、繊細材料による衣料、カバー部材およびキャップを含む。カバー部材は衣料の上で容器本体へ挿入され、続いてキャップへ挿入される。好適には、パッケージ工程時に衣料の損傷を防ぐために容器本体内で緩衝材が衣料とカバー部材間に設置される。パッケージは好適には衣料および緩衝材を予備充填管へ誘導し、続いて衣料、緩衝材およびカバー部材を容器本体に装填するためにプランジャ部材を移動させることにより製造される。続いて、キャップが容器本体上にスナップ係止される。
2004526641.tif 000002
【特許請求の範囲】
【請求項１】
繊細材料による衣料のコンパクトパッケージであって、
開放端を有する保管室を形成する容器本体、
未圧縮疎密度の繊細材料により形成された衣料、
前記衣料から分離し前記保管室内の衣料上に配置された緩衝材、および
前記容器本体内に前記衣料および前記緩衝材を保持するために前記保管室の開放端を横切るカバー部材を含み、
前記衣料は前記容器本体の保管室内でその未圧縮疎密度を数倍まで圧縮されている、コンパクトパッケージ。
【請求項２】
前記カバー部材は複数の開口部を有する本体部を含む、請求項１のコンパクトパッケージ。
【請求項３】
前記カバー部材の本体部は弓状ベースを含む、請求項２のコンパクトパッケージ。
【請求項４】
前記ベースの下側は凸状である、請求項３のコンパクトパッケージ。
【請求項５】
前記保管室から前記カバー部材を取り除くために前記カバーの本体部に取り付けた引っ張りタブ要素を更に含む、請求項１のコンパクトパッケージ。
【請求項６】
前記引っ張りタブ要素は前記本体部に軸回転自在に連結されている、請求項５のコンパクトパッケージ。
【請求項７】
前記引っ張りタブ要素はリングを構成している、請求項６のコンパクトパッケージ。
【請求項８】
前記容器本体の内側面部上に複数の突起を更に含み、前記カバー部材は前記保管室内で前記突起と係合する構成である、請求項１のコンパクトパッケージ。
【請求項９】
前記容器本体の開放端上方に設置されたキャップ部材を更に含む、請求項１のコンパクトパッケージ。
【請求項１０】
前記容器本体は前記開放端の少なくとも一部に形成された外方に突出したリップを有し、前記キャップ部材は複数の内突起と共に形成され、かつ前記キャップ部材は前記リップを中心に前記複数の内突起が延びるより前記容器本体にスナップ係止する構成である、請求項９のコンパクトパッケージ。
【請求項１１】
前記保管室は１０インチ立方（約１６４cm3)未満の総体積を有する、請求項１のコンパクトパッケージ。
【請求項１２】
前記緩衝材は前記衣料の繊細材料と異なる材料である、請求項１のコンパクトパッケージ。
【請求項１３】
前記緩衝材は紙により構成されている、請求項１２のコンパクトパッケージ。
【請求項１４】
前記衣料は靴下を構成している、請求項１のコンパクトパッケージ。
【請求項１５】
前記靴下はパンティストッキングを構成している、請求項１４のコンパクトパッケージ。
【請求項１６】
繊細材料により形成される衣料のコンパクトパッケージであって、
開放端を有する保管室を形成する容器本体、
未圧縮疎密度の繊細材料により形成された衣料、
前記容器本体内に前記衣料を保持するために前記保管室の開放端を横切るカバー部材、および
前記カバー部材上方で前記容器本体の開放端に設置されるキャップ部材を含み、
前記保管室は１０立方インチ（約１６４cm3)未満の総体積を有し、かつ
前記衣料は前記容器本体の保管室内でその未圧縮疎密度の数倍まで圧縮されている、コンパクトパッケージ。
【請求項１７】
前記容器本体は前記開放端の少なくとも一部に形成された外方に突出したリップを有し、前記キャップ部材は複数の内突起と共に形成されていて、前記キャップ部材は前記リップを中心に延びた前記複数の内突起により前記容器本体にスナップ係止される構成である、請求項１６のコンパクトパッケージ。
【請求項１８】
前記カバー部材は複数の開口部を有する本体部を含む、請求項１６のコンパクトパッケージ。
【請求項１９】
前記カバー部材の本体部は弓状ベースを含む、請求項１８のコンパクトパッケージ。
【請求項２０】
前記ベースの下側は凸状である、請求項１９のコンパクトパッケージ。
【請求項２１】
前記保管室から前記カバー部材を取り除くために前記カバーの本体部に取り付けた引っ張りタブ要素を更に含む、請求項１６のコンパクトパッケージ。
【請求項２２】
前記引っ張りタブ要素は前記本体部に軸回転自在に連結されている、請求項２１のコンパクトパッケージ。
【請求項２３】
前記引っ張りタブ要素はリングを構成している、請求項２２のコンパクトパッケージ。
【請求項２４】
前記容器本体の内側面部上に複数の突起を更に含み、前記カバー部材は前記保管室内で前記突起と係合している、請求項１６のコンパクトパッケージ。
【請求項２５】
前記保管室内で前記衣料上に配置された緩衝材を更に含む、請求項１６のコンパクトパッケージ。
【請求項２６】
前記緩衝材は前記衣料の繊細材料と異なる材料である、請求項２５のコンパクトパッケージ。
【請求項２７】
前記緩衝材は紙により構成されている、請求項２６のコンパクトパッケージ。
【請求項２８】
前記衣料は靴下を構成している、請求項１６のコンパクトパッケージ。
【請求項２９】
前記靴下はパンティストッキングを構成している、請求項２８のコンパクトパッケージ。
【請求項３０】
繊細材料により形成される衣料をパッケージする方法であって、
１０立方インチ（約１６４cm3)未満の総体積を有する容器本体内に繊細材料から形成された衣料を充填し、前記衣料を未圧縮疎密度の数倍まで圧縮し、
前記容器本体内に前記衣料を保持するためにカバー部材により前記衣料を被覆し、かつ
前記カバー部材を横切って前記容器本体の開放端にキャップ部材を係合することを含む、方法。
【請求項３１】
前記衣料を管へ予備装填し、かつ続いて前記衣料を前記管から前記容器本体へ移動させることを更に含む、請求項３０の方法。
【請求項３２】
緩衝材を前記衣料と共に前記管へ予備装填することを更に含む、請求項３１の方法。
【請求項３３】
請求項予備装填が、最初に、前記衣料を前記管の第一部へ吸引し、かつ続いて前記衣料を前記管の第二部へ吹きつけることを含む、請求項３１の方法。
【請求項３４】
前記衣料が前記管へ延びるプランジャにより前記容器本体へ移動させる、請求項３１の方法。
【請求項３５】
前記カバー部材を前記プランジャにより前記容器本体へ挿入することを更に含む、請求項３４の方法。
【請求項３６】
前記容器本体内の前記衣料にアクセスするために前記カバー部材を除去するために前記カバー部材上に引っ張りタブを設けることを更に含む、請求項３０の方法。
【請求項３７】
前記衣料の分離片を構成する緩衝材を前記容器本体内に前記衣料と共に充填することを更に含む、請求項３０の方法。
【請求項３８】
前記キャップ部材は前記容器本体の開放端へスナップ係止される、請求項３０の方法。
【請求項３９】
１０立方インチ（約１６４cm3)未満の総体積を有する保管室の内部へ通じる開放端を含む容器本体を支持する手段、および
繊細材料により形成された衣料、分離の緩衝材、およびカバー部材の各々を前記保管室へ連続的に誘導する手段を含む、繊細材料から形成される衣料をパッケージする装置。
【請求項４０】
前記誘導手段は、前記衣料および前記緩衝材を最初に収容するための予備充填管を含む、請求項３９の装置。
【請求項４１】
前記誘導手段は、前記衣料および前記緩衝材を前記保管室へ移動するためのプランジャ部材を更に含む、請求項４０の装置。
【請求項４２】
前記プランジャは前記カバー部材を支持する終端部を含む、請求項４１の装置。
【請求項４３】
前記予備充填管は前記プランジャ部材と移動自在に整合または整合解除する、請求項４１の装置。
【発明の詳細な説明】
【技術分野】
【０００１】
本発明はパッケージ分野、更に具体的には、特に靴下もしくはメリヤス製品（hosiery items)から形成される衣料用のコンパクトパッケージ構成に関する。
【背景技術】
【０００２】
広範囲の繊細衣料が、今日、市場で販売されている。かかる衣料は、集合的には、ストッキング、レッギング、ニーハイツ（knee-highs)、パンティ、パンティストッキング、多くの下着等を含むメリヤス製品として分類される種々の製品に及ぶ。これらのタイプの衣料の共通の特徴は、衣料が形成される、例えば、ナイロン、ＬＹＣＲＡ、スパンデックス、シルク等の材料の性質が繊細であることである。材料の繊細さにより、これらのタイプの衣料をパッケージする上で破裂またはランを最小限にするために、特別の注意が払われる。
【０００３】
過去において、これらのタイプの繊細衣料は、製品損傷の危険性を最小限にするために分離パッケージすることなく、むしろ嵩高パッケージまたは簡単な包装で販売されていた。しかし、嵩高パッケージは経済的に有利とは考えられていない。例えば、コンパクトパッケージに比較して嵩高パッケージを形成するにはパッケージ材料が多量に必要である。更に、運搬および保管費用はパッケージが大きくなれば潜在的に高額になる。更に、貴重な保管スペースはコンパクトパッケージ構成と比較して嵩高パッケージ製品の展示のために消耗される。パッケージなしで製品を提供することが特定商店の販売に可能であるが、多くの他の用途には適さない。
【０００４】
繊細衣料を包装する分野において大きな改良が米国特許第５，６９２，６０６号で発表されたと考えられている。この米国特許’６０６による発明は、製造、保管、出荷および展示でき、かつ便利かつ経済的方法で消費者によりポケットまたはハンドバッグ携帯できる極めてコンパクトなパッケージでメリヤス製品を提供するための要求を認識するものであった。特に、この特許に開示のメリヤス製品パッケージに関する利点は、パッケージのコンパクト性のみならず、パッケージ開放と同時に未圧縮状態に容易に戻るメリヤス製品の能力である。このようにして、かかる製品は使用者による持ち運びが可能であり、かつ容易かつ至便に使用可能である。
【０００５】
繊細衣料のコンパクトパッケージにおける大きな改良が近年行なわれているが、包装時の衣料の損傷に対する更なる保証およびパッケージシステムの向上に関する改良に対するニーズが未だ当分野に存在する。更に、種々の特定パッケージ構成が当分野で提案されているが、消費者に対して更にアピールしかつ潜在的製品損傷に対する安全性を高めた経済的かつ信頼性のあるパッケージを提供する改良されたパッケージに対するニーズが存在する。
【０００６】
【特許文献１】
米国特許第５，６９２，６０６号
【発明の開示】
【発明が解決しようとする課題】
【０００７】
本発明は、パッケージ時に衣料の繊細材料の損傷を予防するように設計された、繊細衣料のためのコンパクトパッケージ構成を提供する。更に、繊細衣料をパッケージするための機械および方法を提供する。
【０００８】
発明の概要
【０００９】
本発明によれば、各衣料パッケージは、衣料を受ける容器本体、前記容器本体の上部内に配置されるカバーインサートを含む。好適には、カバーインサートはカバー部材を含み、カバー部材は、容器本体内に設置されるときに、空気の通過を可能にする設計の複数の開口部を有する。更に、カバー部材は、衣料へのアクセスのためにカバー部材を取り除くために使用される、好適には軸回転自在のリング要素等からなる引っ張りタブ要素を有する。本発明の好適形態において、カバー部材の挿入によって潜在的損傷から衣料を保護するために、衣料とカバー部材間で容器本体内の衣料上に緩衝材が位置決めされる。
【００１０】
パッケージは容器本体をシール、即ち、封止するために容器本体上方に延びる構成のキャップを含む。本発明の好適形態において、容器本体の上内壁部は突起を有し、その突起下にカバー部材が設置され、それによりカバー部材を、カバー部材が手で取り除かれるまで所定位置に衣料を維持する位置に保持する。複数の同様突起がキャップの内壁部上に設けられ、突起は容器本体上にキャップを固定するために容器本体の開放端のまわりに設けられたリップと共働する。
【００１１】
本発明によれば、繊細衣料をパッケージする機械および方法が更に提供される。本発明の特徴によれば、空気圧源等の流体源が利用され、衣料、好適には続いて緩衝材を初期には吸引し、かつ次に予備位置決めされた容器本体へ誘導するために、配送管もしくは予備充填管に差圧を発生する。その後に、流体源は衣料および緩衝材を容器本体へ付勢するピストンを移動させ、かつカバー部材を衣料保持位置に設置するために使用される。続いて、キャップが主パッケージを完成するために適宜に位置決めされる。本発明の一好適形態によれば、シーリング装置が容器本体上にキャップを更に保持するために採用される。シーリング装置は商店のディスプレイロッドからパッケージを吊るすために孔を有する上延長部を含んでよい。
【００１２】
包装を達成するための機械は流体源、および衣料および緩衝材、そして続いてカバー部材を受けるために容器本体をシステマテックに構成するように設計された複数位置決めシステムを含む。半自動形態の機械において、運転の特定段階時に使用者の手を特定位置に置くことを必要とすることにより、または使用者の手が実際の仕事領域において感知されるときに機械の運転を阻止することにより、機械の安全運転が確実にされる。
【００１３】
本発明の他の課題、特徴および利点は、いくつかの図面において同様参照番号が対応する部材を示す図面との関係で説明される、続く本発明の詳細な説明から更に明かになるであろう。
【発明を実施するための最良の形態】
【００１４】
図１から３を参照すると、繊細材料により形成される衣料用として設計されたコンパクトパッケージが参照番号２により概ね示されている。パッケージ２は容器本体６を含み、容器本体６は、好適には、一つが参照番号９により示された複数の起立壁、閉鎖底１４および開放上端１６を含むようにプラスチックの射出成形またはブロー成形等により成形される。この構成において、開放上端１６は容器本体６内に形成された保管室１９の内部に通じる。図２および３に明かに示されたように、保管室１９の上内側面部２６は複数の内方に突出した突起３０−３３と共に形成される。本体の最も好ましい形態において、容器本体６は透明である。図示されたように、好適には、容器本体６は開放上端１６に外方に突出する環状リップ３７を有する。
【００１５】
パッケージ２は更にベース４３および起立環状側壁４５により形成されるカバー部材４０を含む。図示されたように、ベース４３は複数の開口部４７を有する。最も好ましい形態において、ベース４３は凹状上側および凸状下側を含むようにカーブしている。カバー部材４０は、更に、好適にはリング形態の引っ張りタブ５８を含む。引っ張りタブ５８は概ね６０で示された一体蝶番により環状側壁５４の一部に連結されるのが好ましい。従って、引っ張りタブ５８は図示されたように、２および３に示された位置から環状側壁４５の上縁部（分離した符号は付されていない）の下の引っ張りタブが配置されている位置まで軸回転する。
【００１６】
パッケージ２は、好適にはプラスチック、更に好ましくは半透明彩色プラスチックで形成されるキャップ部材６５を含む。キャップ部材６５はスムース上部６８およびおよび環状側壁７０を含む。図２に示されたように、突起７２および７３が環状側壁７０に沿って空間場所で内方に突出している。最適実施形態において、付加的突起が突起７２および７３の各々の反対側の環状側壁に沿って設けられる。
【００１７】
図３の分解図は保管室１９内に存在する衣料８３を明瞭に示す。本発明によれば、衣料８３は、たやすく破れたりランしたりするナイロン、ＬＹＣＲＡ、絹等の繊細材料により形成される。本発明の最適形態において、衣料８３は一対のパンティストッキングを構成する。ただし、ストッキング、レッギング、ニーハイツ（knee-highs)、パンティ、およびシーブラス（sheer bras)を含むその他の種々の下着を含む「メリヤス製品(hosiery)」に一般的に分類される広範囲の製品が使用できる。この点で、本発明のパッケージ２は衣料８３を形成するために利用されるタイプの材料を補償するように設計されることが重要である。この目的のために、本発明の好適形態によれば、パッケージ２は、更に詳細に後述するように、保管室１９内の衣料８３上に配置できる緩衝材８６を有する。パッケージ２全体を組み立てる特定方法は詳細に後述する。
【００１８】
パッケージ２は、更に、好適には対峙する起立壁９に接着剤により、キャップ部材６５の上部６８に沿って固定されるプラスチックストリップ９２を含むシールとハンガの組立体９０（図１を参照）を含む。図示されたように、プラスチックストリップ９２は、商店の従来ディスプレイのフックまたはロッドから吊るすパッケージ２用として孔９６を有する起立ハンガ部材９４と一体的に形成される。図示されたように、パッケージ２上にはバンド１００がプラスチックストリップ９２の終端部（分離した符号は付されていない）のまわりに延びている。バンド１００は実際には薄い紐で構成されるか、または容器本体６の下に延びる細長いラベルにより形成される。
【００１９】
図示されたように、パッケージ２は、特に、コンパクト形態で衣料８３を保管するように設計される。一般的に、保管室１９は好適には総体積が１０立方インチ（約１６４cm3)未満である。本発明の最適形態によれば、衣料８３は一対のパンティストッキングを構成し、容器本体６は概ね四角形断面を有し、その起立壁９の各々は略１．２５インチ（約3.175cm)の側断面および略４インチ(約10.16cm)の高さを有する。従って、容器本体６は略６．２５立方インチ（約102.4cm3)の体積を有する。いずれにしても、保管室１９は比較的小さくかつコンパクト形態で衣料８３を維持するものである。更に具体的には、衣料８３を容器本体６内に収納するために、未圧縮疎密度の衣料８３を数倍まで保管室１９内で圧縮する必要がある。この目的から、本発明のコンパクトパッケージ２は、ここで参考として組み入れられる米国特許第５，６９２，６０６号に開示されたようにズボンを保管するための特別パッケージを改良することを意図している。
【００２０】
従って、本発明によるパッケージは、保管室１９内で衣料８３を、未圧縮疎密度の衣料の数倍まで圧縮することにより達成される。カバー部材８４は、所定位置または適所に衣料８３を保持するために容器本体６の保管室へ挿入できるように構成される。ただし、衣料３の材料のデリケトな性質により、本発明は、好適には衣料８３と分離して形成されかつ保管室１９内で衣料８３上に配置される緩衝材８６を含む。本発明によれば、緩衝材８６は軽量紙材または布帛、更には衣料８３それ自体を形成する繊細布帛で形成される。いずれにしても、カバー部材４０が保管室１９へ挿入されるので、衣料８３を挟んだり損傷する危険性がある。しかし、衣料８３上に緩衝材８６を配置することにより、カバー部材４０は保管室１９内に安全に挿入できる。挿入時に、カバー部材４３の環状側壁４５は突起３０−３３に当接し、かつベース４３はカバー部材４０を図２に示された位置に到達させるために、弓状になるもしくは歪曲する。その後に、キャップ部材６５が容器本発明６上に設置される。当然ながら、引っ張りタブ５８はキャップ部材６５の下の下位置に維持される。キャップ部材６５の少なくとも突起７２および７３と容器本体６の環状リップ３７との間の相互作用により、キャップ部材６５は容器本体６上でスナップ係止される。その後に、パッケージ２を従来ディスプレイフックから吊るす場合には、シール・ハンガ組立体９０が上述のごとく取り付けられる。
【００２１】
次に、図示されたように、４−９を参照してパッケージ２を組み立てるために採用する半自動機械１０２を説明する。図示されたように、機械１０２は支持脚１１２，１１３でそれぞれ終端する種々の支脚１０９，１１０により支持されるハウジング１０６を含む。図示されたように、ハウジング１０６は、ハウジング１０６の前壁１２１の前棚１１９、側壁１２６および１２７、ならびに上部１３０により形成された前開口部１１６を含む。上部１３０に隣接し、側壁１２６に沿って垂直開口部１３４が形成されている。
【００２２】
ハウジング１０６内にはレール１４２に沿って側方移動自在の運動のために床１４１上に支持されるプラットホーム１４０が設けられている。プラットホーム１４０はベース１４３、一対の対峙し角度を付けた側プレート１４５および１４６、ならびに後プレート１４８を含む。傾斜プレート１４５と１４６間には、移動自在の中間支持プレート１５０が配置されている。ベース１４３上には、中心孔１５７を有する円筒サポート１５５を含む容器ホルダ１５２が固定されている。中間支持プレート１５０は上開口部１６３、ベンチュリ領域１６６および終端排出ノズル１６９を有する予備充填管１６１を支持する。
【００２３】
上部１３０上には、プランジャ装置１８３を支持するプレート１８０が取り付けられている。プランジャ装置１８３は露出された終端ヘッド１８７を有するプランジャピストンロッド１８６を含む。プランジャピストンロッド１８６は、更に詳細に後述するように、プランジャ装置１８３のシリンダ１８９から前進かつそこへ後退する構成である。図示されたように、機械１０２はオン−オフ、および機械１０２の操作状態を中断するための種々のボタン（それぞれに符号は付されていない）を有する主動力コントローラ１９２を含む。最後に、機械１０２は一対のフィンガハウジング１９８および１９９を含むものとして示されている。フィンガハウジング１９８および１９９は、後述するように、機械のパッケージシーケンスを開始し、かつ機械１０２の使用時にオペレータの手の安全位置決めを確実にする機能のために設けられている。
【００２４】
半自動機械１０２によりパッケージ２を製作するために、容器本体６は、初期に、ホルダ１５２の中心孔１５７内で回転不可能位置に設置される。更に、カバー部材４０がプランジャピストンロッド１８６の終端ヘッド１８７に形成された下開口部（図示せず）内に位置決めされる。本発明の最適形態によれば、機械１０２は、好適には、空気作用する。説明を簡単にするために、加圧空気源および空気圧ラインは必要な電気接続と共に図示されていない。しかし、続く詳細な説明から、全体作用は当業者に容易に理解されるであろう。後述するように、空気圧は、レール１４２に沿ってプラットホーム１４０を側方へ移動させ、かつプランジャピストンロッド１８６を前進または後退させることにより、保管室１９内に衣料８３および緩衝材８６を充填するのに使用される。好適形態において、空気圧源は略９０−１００ｐｓｉを供給しかつプランジャ装置１８３に対して略２００ｐｓｉの力を付与する。いずれの場合にも、他の動力源および力範囲が、特に衣料８３を容器本体６内で圧縮する率に応じて、容易に採用できる。
【００２５】
本発明によれば、容器本体６およびカバー部材４０が、上述したように（図４および５）サポート１５５および終端ヘッド１８７内に一旦位置決めされると、オペレータは機械１０２の運転サイクルを開始かつ維持するためにフィンガハウジング１９８および１９９内に設けられ電気ボタン（符号は付されていない）を操作する。運転サイクルが開始すると、支持プレート１５０は図６および７に示された位置へ下降し、排出ノズルが容器本体６の上端１６の付近へ延びる。更に好適には、排出ノズル１６９の最下内端には各側壁９の厚みに対応する深さで内部に溝が形成されている。この位置において、衣料８３は予備充填管１６１の上開口部１６３へ落下される。ベンチュリ管１６１での空気圧供給の利用は、上開口部１６３とベンチュリ領域１６６間で吸引効果を高め、かつ空気をベンチュリ領域から排出ノズル１６９へ向けて吹きつける。このようにして、衣料８３は容易に予備充填管１６１へ引きつけられかつ排出ノズル１６９へ向けて付勢される。従って、衣料８３が上開口部１６３へ落下するときに、衣料８３は排出ノズル１６９へ付勢され、かつ衣料８３の一部でさえも容器本体６へ拡がる。この後に、緩衝材８６が選択的であるが、好ましくは、上開口部１６３へ落下され緩衝材８６が予備充填管１６１内で衣料８３の上に配置される。特に図示されていないが、予備充填管１６１は内部で傾斜していて、衣料８３および緩衝材８６が保管室１９と実質的に等しい内部寸法を有する予備充填管１６１の一部へ予備充填されるようにする。
【００２６】
この初期連続予備充填が達成されると、オペレータはフィンガハウジング１９８および１９９のそれぞれに一つまたはそれ以上の指を再度挿入する。個別的に示されていないが、ボタンまたは他のスイッチ装置がフィンガハウジング１９８および１９９内に設けられ、使用者は機械１０２の自動的運転シーケンスを開始するためにそれらを操作しなければならない。使用者の指がフィンガハウジング１９８および１９９内に適正に位置決めされると、図８および９に明かに示されたように、予備充填管１６１がプランジャ装置１８３の真下に設置されるまで、機械１０２は次にプラットホーム１４０を側方へ移動させる。この後に、プランジャピストンロッド１８６は自動的に予備充填管１６１内で伸張し、それにより衣料８３および緩衝材８６を保管室１９に対して圧縮し、かつ容器本体６内へカバー部材４０を挿入する。
【００２７】
好適形態において、緩衝材８６は衣料８３がカバー部材４０に直接接触するのを阻止し、それにより衣料８３の損傷を防止する。この工程で、衣料８３および緩衝材８６は各々がその未圧縮疎密度の数倍まで圧縮され、かつカバー部材４０の位置決めによって圧縮状態で保持される。この圧縮時に、カバー部材４０の開口部４７は空気の排気を可能にして保管室１９から移動させる。カバー部材４０が適正に位置決めされると、プランジャピストンロッド１８６は自動的に後退し、プラットホーム１４０は再度側方へ移動し、かつ中間支持プレート１５０は予備充填管１６１と共に図４および５に示された位置へ上昇して戻る。この点で、機械１０２の一サイクルが完了する。そこで、オペレータは指をフィンガハウジング１９８および１９９から出して、容器本体６がサポート１５５の中心孔１５７から除去される。続く組み立て段階で、キャップ部材６５、そして所望によりシール・ハンガ組立体９０が付設されてパッケージ２を完成する。
【００２８】
上記構成により、パッケージ２は容器本体６内で一対のパンティストッキングまたは他の繊細衣料を圧縮状態で有利に維持し、かつカバー部材４０を除去するにはキャップ部材６５を指先で外し、引っ張りタブ５８を軸回転させかつ上昇させ、次に緩衝材８６を取り払うことにより容易に衣料８３の取出しを可能にする。その後に、衣料８３は直ぐに使用するために保管室１９から容易に引っ張り出すことができる。以上、本発明の好適形態について説明したが、種々の変更かつ／または改良が本発明の精神から逸脱することなく行なわれることは容易に理解されるであろう。例えば、機械１０２は半自動運転用に構成されているが、全自動システムを採用できることは容易に理解される。更に、フィンガハウジング１９８および１９９は、オペレータによる制御および安全目的からボタンまたはスイッチを装備するが、種々の他のシステムが同様に採用できる。例えば、前開口部１１６に安全照明（light）カーテンを設け、それを組み合わせたフットアクチュエータペダル・コントローラが利用できる。これらとは関係なく、本発明は特許請求の範囲にのみ限定されることが意図されている。
【図面の簡単な説明】
【００２９】
【図１】本発明による繊細衣料用コンパクトパッケージの上方からの斜視図である。
【図２】図１のコンパクトパッケージの部分分解図である。
【図３】図１のコンパクトパッケージの他の部分分解図である。
【図４】本発明の好適形態によるパッケージ機械の上方右からの斜視図であって初期および最終パッケージ工程を示す。
【図５】図４の工程のパッケージ機械の前平面図である。
【図６】続くパッケージ工程の図４のパッケージ機械の上方右からの斜視図である。
【図７】図６の工程のパッケージ機械の前平面図である。
【図８】他のパッケージ工程における図５のパッケージ機械の上方右からの斜視図である。
【図９】図８の工程におけるパッケージ機械の前平面図である。
【国際公開パンフレット】
2004526641.tif 000003
2004526641.tif 000004
2004526641.tif 000005
2004526641.tif 000006
2004526641.tif 000007
2004526641.tif 000008
2004526641.tif 000009
2004526641.tif 000010
2004526641.tif 000011
2004526641.tif 000012
2004526641.tif 000013
2004526641.tif 000014
2004526641.tif 000015
2004526641.tif 000016
2004526641.tif 000017
2004526641.tif 000018
2004526641.tif 000019
2004526641.tif 000020
2004526641.tif 000021
2004526641.tif 000022
2004526641.tif 000023
2004526641.tif 000024
2004526641.tif 000025
2004526641.tif 000026
2004526641.tif 000027
2004526641.tif 000028
2004526641.tif 000029
2004526641.tif 000030
2004526641.tif 000031
2004526641.tif 000032
2004526641.tif 000033
【国際調査報告】
2004526641.tif 000034
2004526641.tif 000035